(57)【要約】【課題】ベース部材側に配設した光源によって可動体を原点位置と突出位置の両位置で明確に照光することができる可動役物装置を提供する。【解決手段】可動役物装置２６は、遊技盤６の所定位置に配設されたベース部材３７と、ベース部材３７固定された回路基板４２，４３と、回路基板４２，４３に実装された第１および第２のＬＥＤ４４ａ，４５ａ，４４ｂ，４５ｂと、回路基板４２，４３の前方に原点位置と突出位置間を移動可能に配置された可動体４６，４７と、可動体４６，４７に搭載された導光体４８とを備えており、可動体４６，４７が原点位置にあるときに第１のＬＥＤ４４ａ，４５ａを導光体４８のレンズ部４８ｂに対向させると共に、可動体４６，４７が突出位置にあるときに第２のＬＥＤ４４ｂ，４５ｂを導光体４８のレンズ部４８ｂに対向させるようにした。【選択図】図１２
2014054455.tif 000002
【特許請求の範囲】
【請求項１】
遊技機の所定位置に配設されたベース部材と、このベース部材に固定された回路基板と、この回路基板に実装された光源と、この光源を覆うように前記回路基板の前方に配置された可動体と、この可動体に搭載された光拡散用のレンズ部を有する導光体と、前記可動体を原点位置と突出位置との間で往復移動させる駆動機構とを備え、
前記光源が前記可動体の移動方向に沿って離間する位置に実装された第１の光源と第２の光源とを有しており、前記可動体が前記原点位置にあるときに前記第１の光源を前記導光体の前記レンズ部に対向させると共に、前記可動体が前記突出位置にあるときに前記第２の光源を前記導光体の前記レンズ部に対向させるようにしたことを特徴とする可動役物装置。
【請求項２】
請求項１の記載において、前記導光体が前記レンズ部を中心に同心円状に配列された凹凸部を有していることを特徴とする可動役物装置。
【発明の詳細な説明】
【技術分野】
【０００１】
本発明は、パチンコ機等の遊技機に備えられる可動役物装置に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした可動役物装置が広く採用されている。可動体はモータやギア等を有する駆動機構によって種々の動きを行うようになっており、その一例として、駆動機構によって可動体を可変表示装置の表示画面の前方で上下方向に往復移動させると共に、この可動体に光源や導光体等を収納して移動途中や停止時に可動体を照光させるようにした可動役物装置が従来より知られている（例えば、特許文献１参照）。
【０００４】
特許文献１に開示された可動役物装置では、遊技盤に固定されたベース部材に駆動機構の駆動源であるモータが搭載されており、このモータの回転がギアやラック等からなる駆動機構を介して可動体の上下運動に変換されるようになっている。可動体は後面側を開口した有底形状の外装部材であり、この可動体の内部に光透過性樹脂からなる複数の導光体が積層状態で収納されている。各導光体にはそれぞれ凹凸形状の光拡散部が形成されており、これら導光体を組み合わせることによってレンズユニットが構成されている。また、可動体の後面側には各導光体を覆うように回路基板が取り付けられており、この回路基板上に複数のチップＬＥＤが実装されている。なお、回路基板にはワイヤーハーネスやフラットケーブル等の可撓性を有する配線が接続されており、遊技盤の裏面に設けられ制御基板からこの配線を介して各ＬＥＤに電力が供給されるようになっている。
【０００５】
このように概略構成された可動役物装置において、通常、可動体は可変表示装置の上方の原点位置で停止しており、この状態でモータを正逆いずれかの方向に回転すると、原点位置にあった可動体が下降して表示画面の前方の突出位置まで移動する。また、可動体が突出位置にあるときにモータを上記と逆向きに回転すると、可動体が突出位置から上昇して再び可変表示装置の上方の原点位置に戻る。そして、可動体の移動途中や停止時に配線を介して各ＬＥＤに電力が供給されると、各ＬＥＤの光が各導光体の光拡散部で拡散されて可動体の裏面に照射されるため、可動体の光透過部からギラギラした拡散光が前方に向けて出射される。
【先行技術文献】
【特許文献】
【０００６】
【特許文献１】特開２０１１−２４００３０号公報
【発明の概要】
【発明が解決しようとする課題】
【０００７】
前述した従来の可動役物装置は、原点位置と突出位置との間を移動する可動体にＬＥＤと回路基板が搭載されており、この回路基板から導出されたワイヤーハーネス等の配線が可動体の移動に追従するようになっているため、可動体の移動位置に拘わらず配線を介してＬＥＤに電力を供給することができる。ただし、可動体の配置場所や可動態様等によっては配線の引き回しルートを十分に確保することが困難となる場合もあり、その場合は、ＬＥＤと回路基板をベース部材側に固定すれば、原点位置と突出位置との間を移動する可動体の導光体に向けてベース部材側のＬＥＤから光を照射することができる。しかしながら、このようにＬＥＤと回路基板を可動体の代わりにベース部材側に固定すると、可動体の移動に伴って導光体とＬＥＤとの相対位置が変位してしまうため、可動体の移動ストロークがある程度大きくなると、原点位置と突出位置の両位置で可動体を明確に照光させることができなくなり、可動体を目立たせるという本来の照光機能が著しく低下してしまうという問題が発生する。
【０００８】
本発明は、このような従来技術の実情に鑑みてなされたもので、その目的は、ベース部材側に配設した光源によって可動体を原点位置と突出位置の両位置で明確に照光することができる可動役物装置を提供することにある。
【課題を解決するための手段】
【０００９】
上記の目的を達成するために、本発明の可動役物装置は、遊技機の所定位置に配設されたベース部材と、このベース部材に固定された回路基板と、この回路基板に実装された光源と、この光源を覆うように前記回路基板の前方に配置された可動体と、この可動体に搭載された光拡散用のレンズ部を有する導光体と、前記可動体を原点位置と突出位置との間で往復移動させる駆動機構とを備え、前記光源が前記可動体の移動方向に沿って離間する位置に実装された第１の光源と第２の光源とを有しており、前記可動体が前記原点位置にあるときに前記第１の光源を前記導光体の前記レンズ部に対向させると共に、前記可動体が前記突出位置にあるときに前記第２の光源を前記導光体の前記レンズ部に対向させるようにした。
【００１０】
このように構成された可動役物装置では、ベース部材に固定した回路基板の前方に可動体が配置され、この可動体が駆動機構によって原点位置と突出位置との間を往復移動されると共に、回路基板に実装した光源の光が可動体に搭載した導光体に向けて出射されるようになっているため、光源に電力を供給するワイヤーハーネス等の配線を可動体と回路基板間に引き回す必要がなくなり、構成部材の簡素化が図られる。そして、回路基板上には光源である第１の光源と第２の光源が実装されており、可動体が原点位置にあるときに第１の光源を導光体のレンズ部に対向させると共に、可動体が突出位置にあるときに第２の光源を導光体のレンズ部に対向させるようにしたので、可動体が原点位置と突出位置のいずれの位置へ移動した場合でも、可動体の所望箇所を光源の光によって明確に照光することができる。
【００１１】
上記の構成において、導光体がレンズ部を中心に同心円状に配列された凹凸部を有していると、第１または第２の光源からの光が原点位置や突出位置で導光体を透過するとき、レンズ部で最も強い光となって可動体の前方に出射すると共に、レンズ部の周囲の凹凸部で散乱光となって可動体の前方に出射するため、可動体の広い領域を明るく照らした上でその中心部をさらに強い光で照らすという発光態様を実現できて好ましい。
【発明の効果】
【００１２】
本発明の可動役物装置は、ベース部材に固定した回路基板の前方を可動体が原点位置と突出位置との間で移動可能となっており、この回路基板上に可動体の移動方向に沿って離間する位置に第１の光源と第２の光源が実装されているため、各光源に電力を供給するワイヤーハーネス等の配線を可動体と回路基板間に引き回す必要がなくなり、構成部材の簡素化が図られるので、組付け、検査および保守の作業性を向上できると共に、可動体の移動に伴う配線の断線事故を未然に防止することができる。そして、可動体が原点位置にあるときに第１の光源を導光体のレンズ部に対向させると共に、可動体が突出位置にあるときに第２の光源を導光体のレンズ部に対向させるようにしたので、可動体が原点位置と突出位置のいずれの位置へ移動した場合でも、可動体の所望箇所を光源の光によって明確に照光することができる。
【図面の簡単な説明】
【００１３】
【図１】パチンコ機の外観を示す斜視図である。
【図２】図１に示すパチンコ機の前面扉を開放した状態の斜視図である。
【図３】図１に示すパチンコ機の背面図である。
【図４】図１のパチンコ機に備えられる遊技盤の正面図である。
【図５】実施形態例に係る可動役物装置の非動作状態を示す斜視図である。
【図６】図５に対応する駆動機構の説明図である。
【図７】図５のＡ−Ａ線に沿う断面図である。
【図８】左側の可動体が上昇した状態を示す可動役物装置の斜視図である。
【図９】図８に対応する駆動機構の説明図である。
【図１０】右側の可動体が上昇した状態を示す可動役物装置の斜視図である。
【図１１】図１０に対応する駆動機構の説明図である。
【図１２】図１０のＢ−Ｂ線に沿う断面図である。
【図１３】左右両側の可動体が上昇した状態を示す可動役物装置の斜視図である。
【図１４】図１３に対応する駆動機構の説明図である。
【図１５】可動役物装置に備えられる導光体の正面図である。
【図１６】該導光体の裏面図である。
【図１７】該導光体の斜視図である。
【図１８】図１５のＣ−Ｃ線に沿う断面図である。
【発明を実施するための形態】
【００１４】
発明の実施の形態について図面を参照して説明すると、図１と図２に示すように、本発明の実施形態例に係る可動役物装置が適用された遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられた前面扉３等を備えており、前面扉３にはガラスやプラスチック等からなる透明板４が取り付けられている。
【００１５】
機枠１の左下隅部には大型のスピーカ５が配設されており、このスピーカ５は前面扉３の切り欠き内に位置して前方に露出している。機器本体２の上部内側には後述する遊技盤６が収納されており、この遊技盤６の盤面（前面）は透明板４を透して外部から目視可能となっている。また、機器本体２の右側枠部にはシリンダ錠７ａを有する施錠装置７が設置されており、図示省略されているが、この施錠装置７は機器本体２の裏面に配置された後部施錠杆と機器本体２の前面に配置された前部施錠杆とを備えている。常態では、施錠装置７の後部施錠杆によって機枠１に対して機器本体２が施錠されると共に、前部施錠杆によって機器本体２に対して前面扉３が施錠されている。そして、シリンダ錠７ａの鍵穴に図示せぬ鍵を差し込み、この鍵を一方向（例えば時計回り）へ回動すると、後部施錠杆が下動して機器本体２が開錠されるようになっている。また、シリンダ錠７ａの鍵穴に差し込んだ鍵を他方向（反時計回り）へ回動すると、前部施錠杆が上動して前面扉３が開錠されるようになっている。
【００１６】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１７】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００１８】
図３に示すように、遊技盤６の裏面側には、遊技に関する主要な処理を行う主制御処理部１６と、主制御処理部１６からの指令を受けて前述したスピーカ５，８や後述する可変表示装置や可動役物装置等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００１９】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の右下壁部に配設された可動役物装置２６と、装飾枠２５の裏面側に配置された可変表示装置２７等を具備している。可変表示装置２７は液晶パネル（ＬＣＤ）からなり、その表示画面２７ａは装飾枠２５の開口部２５ａから露出している。
【００２０】
装飾枠２５の下壁部には左右方向へ略Ｖ字形状に延びるステージ２８が設けられており、このステージ２８の中央部には誘導口２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導口２８ａへと導かれる。
【００２１】
ステージ２８の誘導口２８ａの真下位置には上面を開口した振分装置３０が配設されており、ステージ２８上を転動して誘導口２８ａから落下した遊技球が高い確率で振分装置３０の入口に流入するようになっている。振分装置３０は下方側に２つの出口を有しており、各出口の真下にそれぞれ第１始動入賞口３１と第２始動入賞口３２が配設されている。図示省略されているが、振分装置３０の内部には二股球通路とシーソ状の振分機構が収納されており、この振分機構によって振分装置３０の入口から流入した遊技球は二股球通路を介して第１始動入賞口３１と第２始動入賞口３２とに交互に導かれるようになっている。第１および第２始動入賞口３１，３２は外観上同じように構成されているが、第１始動入賞口３１は上端に入口を有する単純構造の始動入賞口であるのに対し、第２始動入賞口３１は上部に一対の可動片を有する電動チューリップ構造の始動入賞口となっている。そして、これら第１および第２始動入賞口３１，３２のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカ３３が配設されており、センター役物２４の右側の遊技領域２３に打ち出された遊技球がこのスルーチャッカ３３を通過すると、それを契機として普通図柄に係る電子抽選が行われ、その抽選結果が当たりの場合に第２始動入賞口３２の両可動片を一時的に開放して遊技球の入賞を許可するようになっている。
【００２２】
さらに、ステージ２８の右斜め下方位置にはアタッカ装置３４が配設されており、このアタッカ装置３４は内部の大入賞口を開閉可能な横長形状の開閉扉を有している。アタッカ装置３４は、第１および第２始動入賞口３１，３２のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３４の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２３】
その他、遊技領域２３には、遊技球の払い出しのみを行う複数の一般入賞口３５や、遊技球の流下経路を担う風車と複数本の遊技釘（図示せず）等が配設されており、いずれの始動入賞口３１，３２や一般入賞口３５にも入賞しなかった遊技球は、遊技領域２３の最下端部に設けられたアウト口３６から遊技盤６の裏面側に排出されるようになっている。
【００２４】
可動役物装置２６は前述した特別図柄に係る電子抽選の結果を可動体の可動態様や光源の照光態様によって遊技者に示唆することができる装置であり、この可動役物装置２６による演出は主制御処理部１６が動作を決定し、決定した動作に基づいて副制御処理部１７に制御信号を送ることにより実行される。副制御処理部１７は、主制御処理部１６から送られた制御信号に基づいて、可動体の駆動源であるモータと光源であるＬＥＤ（いずれも後述する）にそれぞれ駆動信号を送る。これによりモータを回転させて可動体が所定の動作を行ったり、ＬＥＤを発光させて可動体が照光するようになっている。以下、この可動役物装置２６の構造と動作について図５〜図１８を参照しながら詳細に説明する。
【００２５】
本実施形態例に係る可動役物装置２６は、正面から見て略平行四辺形状のベース部材３７と、ベース部材３７の裏面中央部に取り付けられたモータ３８と、モータ３８の出力軸に固着された中継ギア３９と、ベース部材３７の裏面に回転可能に支持された左右一対の回転板４０，４１と、ベース部材３７の前面に取り付けられた一対の回路基板４２，４３と、これら回路基板４２，４３上に実装された光源である複数のチップＬＥＤ４４，４５と、各回路基板４２，４３の前方に上下動可能に配置された一対の可動体４６，４７と、これら可動体４６，４７に搭載された一対の導光体４８等により主として構成されている。
【００２６】
ベース部材３７は可変表示装置２７を包囲する遊技盤６にネジ止め等の固定手段を用いて取り付けられており、このベース部材３７には上下方向に延びる複数本（４本）のガイドシャフト４９が設けられている。各ガイドシャフト４９には一対の連結体５０に設けたガイド孔５０ａがそれぞれ摺動可能に挿入されており、後述するように、これら連結体５０を各可動体４６，４７と一体の導光体４８に取り付けることにより、一対の可動体４６，４７はガイドシャフト４９に沿って図５のＹ１−Ｙ２方向（上下方向）へ移動可能にガイドされている。
【００２７】
一対の回転板４０，４１の裏面側にはそれぞれギア部４０ａ，４１ａが形成されており、これらギア部４０ａ，４１ａを中継ギア３９に噛合するより、モータ３８の回転が中継ギア３９からギア部４０ａ，４１ａを介して各回転板４０，４１に伝達される。また、各回転板４０，４１の前面側にはカム形状を異にするカム状突起４０ｂ，４１ｂが形成されており、具体的には、一方のカム状突起４０ｂは左側の回転板４０の回転軸を中心として８の字形状に形成され、他方のカム状突起４０ｂは右側の回転板４１の中心部を頂点とする三角形状に形成されている。
【００２８】
一対の回路基板４２，４３は回転板４０，４１の上半分を覆うようにベース部材３７の前面に取り付けられており、これら回路基板４２，４３は可動体４６，４７の移動スペースの後方に配置されている。左側の回路基板４２には、上下方向に配列された一対のＬＥＤ４４を一組として二組計４つのＬＥＤ４４が実装されており、これら４つのＬＥＤ４４のうち、下辺側に配置された２つを第１のＬＥＤと称して符号４４ａを付し、上辺側に配置された残り２つを第２のＬＥＤと称して符号４４ｂを付すと、対をなす第１のＬＥＤ４４ａと第２のＬＥＤ４４ｂは可動体４６，４７の移動方向（図５のＹ１−Ｙ２方向）に沿って所定距離だけ離反している。同様に、右側の回路基板４３には、上下方向に配列された一対のＬＥＤ４５を一組として二組計４つのＬＥＤ４５が実装されており、これら４つのＬＥＤ４５のうち、下辺側に配置された２つを第１のＬＥＤと称して符号４５ａを付し、上辺側に配置された残り２つを第２のＬＥＤと称して符号４５ｂを付すと、対をなす第１のＬＥＤ４５ａと第２のＬＥＤ４５ｂは可動体４６，４７の移動方向（図５のＹ１−Ｙ２方向）に沿って所定距離だけ離反している。図示省略されているが、各回路基板４２，４３にはワイヤーハーネス等の配線が接続されており、この配線を介して副制御処理部１７から各ＬＥＤ４４，４５に電力が供給されるようになっている。
【００２９】
一対の可動体４６，４７は透明樹脂を用いて成形された装飾部材であり、これら可動体４６，４７には、ベースとなる透明樹脂の成形品に光透過性塗料と遮光性塗料を塗布する等して光透過部と遮光部が設けられている。図４に示すように、本実施形態例では、左側の可動体４６に「Ｓｈｏｗ」の意匠文字が模られると共に、右側の可動体４７に「Ｔｉｍｅ」の意匠文字が模られており、これら意匠文字の模られた部分が光透過部でその周囲が遮光部となっている。なお、図５〜図１４において、可動体４６，４７の動作を分かりやすくするために「Ｓｈｏｗ」や「Ｔｉｍｅ」の意匠文字は省略されており、可動体４６，４７の外形線だけが描かれている。
【００３０】
一対の導光体４８はアクリル樹脂やポリカーボネイト等の光透過性樹脂を用いて成形した光学部品であり、各導光体４８は対応する可動体４６，４７の内部にネジを用いて取り付けられている。導光体４８には後方へ突出する一対の支持突起４８ａが設けられており、これら支持突起４８ａに前述した各連結体５０がネジを用いて取り付けられている。これら連結体５０にはそれぞれ駆動ピン５１が立設されており、一方の駆動ピン５１は左側の回転板４０に形成されたカム状突起４０ｂの外周面に当接し、他方の駆動ピン５１は右側の回転板４１に形成されたカム状突起４１ｂの外周面に当接している。したがって、モータ３８を駆動源として左右の回転板４０，４１が回転すると、各駆動ピン５１が対応するカム状突起４０ｂ，４１ｂの外周面に沿って摺動し、これら駆動ピン５１とカム状突起４０ｂ，４１ｂとの相対位置に応じて一対の可動体４６，４７が上下動する。すなわち、前述したモータ３８、中継ギア３９、回転板４０，４１、駆動ピン５１等により、可動体４６，４７を原点位置と突出位置との間で往復移動させる駆動機構が構成されている。
【００３１】
一対の導光体４８は同一構成であり、図１５〜図１８に示すように、これら導光体４８には、背面を半球状で前面を円錐状にした一対のレンズ部４８ｂと、各レンズ部４８ｂを中心に同心円状に配列された凹凸部４８ｃとが形成されている。一方の導光体４８は各レンズ部４８ｂを「Ｓｈｏｗ」の意匠文字（光透過部）の真裏に位置させた状態で左側の可動体４６に取り付けられ、この導光体４８の背面に向けて左側の回路基板４２に実装された各ＬＥＤ４４（４４ａ，４４ｂ）から出射光が照射されるようになっている。また、他方の導光体４８は各レンズ部４８ｂを「Ｔｉｍｅ」の意匠文字（光透過部）の真裏に位置させた状態で右側の可動体４７に取り付けられ、この導光体４８の背面に向けて右側の回路基板４３に実装された各ＬＥＤ４５（４５ａ，４５ｂ）から出射光が照射されるようになっている。
【００３２】
このように構成された遊技機（パチンコ機）において、通常、可動役物装置２６は駆動源であるモータ３８に通電されない非動作状態となっており、図４に示すように、一対の可動体４６，４７は可変表示装置２７の表示画面２７ａの右下隅部で斜め右上がりに連続した状態で停止している。
【００３３】
図５〜図７はかかる可動役物装置２６の非動作状態を示し、この非動作状態で一対の可動体４６，４７は図５の矢印Ｙ２方向の末端位置である原点位置で停止しており、この場合、左側の可動体４６から突出する駆動ピン５１は回転板４０に形成されたカム状突起４０ｂの最小径部に当接し、右側の可動体４７から突出する駆動ピン５１は回転板４１に形成されたカム状突起４１ｂの最小径部に当接している。また、左側の回路基板４２に実装された４つのＬＥＤ４４のうち、２つの第１のＬＥＤ４４ａが左側の可動体４６に取り付けられた導光体４８の各レンズ部４８ｂに対向しており、同様に、右側の回路基板４３に実装された４つのＬＥＤ４５のうち、２つの第１のＬＥＤ４５ａが右側の可動体４７に取り付けられた導光体４８の各レンズ部４８ｂに対向している。したがって、一対の可動体４６，４７が原点位置で停止しているときに、図示せぬ配線を介して回路基板４２，４３に電力を供給して各ＬＥＤ４４，４５が発光すると、各第１のＬＥＤ４４ａ，４５ａの光が導光体８のレンズ部４８ｂの中心に向けて照射されるため、これらの光がレンズ部４８ｂで強い拡散光となると共に周囲の凹凸部４８ｃで散乱光となった後、各可動体４６，４７の光透過部を透過して前方へ出射される。その結果、各可動体４６，４７の光透過部である「Ｓｈｏｗ」と「Ｔｉｍｅ」の意匠文字全体を明るく照らした上で、これら意匠文字の中心部をさらに強い光で照光することができる。
【００３４】
各可動体４６，４７が原点位置にあるときに、モータ３８を正転方向に駆動して中継ギア３９が図６の時計回り方向へ回転すると、中継ギア３９に噛合する各回転板４０，４１が反時計回り方向へ回転し始め、それに伴って各駆動ピン５１とカム状突起４０ｂ，４１ｂとの相対位置が変化していく。そして、各回転板４０，４１が反時計回りに９０度回転して図９の状態になると、右側の可動体４７から突出する駆動ピン５１とカム状突起４１ｂとの当接箇所は依然として最小径部のままであるが、左側の可動体４６から突出する駆動ピン５１とカム状突起４０ｂとの当接箇所が最小径部から最大径部へと変化するため、図８に示すように、左側の可動体４６だけが矢印Ｙ１方向の末端位置である突出位置まで上昇する。その結果、左側の回路基板４２に実装された４つのＬＥＤ４４のうち、２つの第２のＬＥＤ４４ｂが左側の可動体４６に取り付けられた導光体４８の各レンズ部４８ｂに対向し、それまで各レンズ部４８ｂに対向していた第１のＬＥＤ４４ａは導光体４８の下辺側へと移行する。したがって、かかる動作中に各ＬＥＤ４４，４５を発光させると、左側の可動体４６が突出位置まで上昇した時点で、各第２のＬＥＤ４４ｂの光がレンズ部４８ｂで強い拡散光となると共に周囲の凹凸部４８ｃで散乱光となった後、この可動体４６の光透過部を透過して前方へ出射されるため、突出位置に移動した左側の可動体４６と原点位置で停止している右側の可動体４７のいずれにおいても、それぞれの光透過部である「Ｓｈｏｗ」と「Ｔｉｍｅ」の意匠文字全体を明るく照らした上で、これら意匠文字の中心部をさらに強い光で照光することができる。
【００３５】
また、左側の可動体４６が突出位置まで移動した後、モータ３８をさらに同方向へ駆動して各回転板４０，４１が図１１の状態になるまで回転すると、左側の可動体４６から突出する駆動ピン５１とカム状突起４０ｂとの当接箇所は最大径部から最小径部へと戻り、右側の可動体４７から突出する駆動ピン５１とカム状突起４１ｂとの当接箇所が最小径部から最大径部へと変化する。その結果、図１０に示すように、突出位置にあった左側の可動体４６が原点位置まで下降すると共に、それまで原点位置にあった右側の可動体４７が突出位置まで上昇する。これにより、図１２に示すように、右側の回路基板４３に実装された４つのＬＥＤ４５のうち、２つの第２のＬＥＤ４５ｂが右側の可動体４７に取り付けられた導光体４８の各レンズ部４８ｂに対向し、それまで各レンズ部４８ｂに対向していた第１のＬＥＤ４５ａは導光体４８の下辺側へと移行する。したがって、かかる動作中に各ＬＥＤ４４，４５を発光させると、原点位置に戻った左側の可動体４６と突出位置へと上昇した右側の可動体４７のいずれにおいても、それぞれの光透過部である「Ｓｈｏｗ」と「Ｔｉｍｅ」の意匠文字全体を明るく照らした上で、これら意匠文字の中心部をさらに強い光で照光することができる。
【００３６】
一方、各可動体４６，４７が原点位置にあるときに、モータ３８を逆転方向に駆動して中継ギア３９が上記と逆向きに回転すると、各回転板４０，４１が時計回りに９０度回転して図６から図１４の状態となり、この間に左側の可動体４６から突出する駆動ピン５１とカム状突起４０ｂとの当接箇所が最小径部から最大径部へ変化すると共に、右側の可動体４７から突出する駆動ピン５１とカム状突起４１ｂとの当接箇所も最小径部から最大径部へ変化する。その結果、図１３に示すように、それまで原点位置で停止していた各可動体４６，４７がいずれも突出位置まで上昇し、これら可動体４６，４７に取り付けられた導光体４８のレンズ部４８ｂに各第２のＬＥＤ４４ｂ，４５ｂが対向し、各第１のＬＥＤ４４ａ，４５ａは導光体４８の下辺側へと移行する。したがって、かかる動作中に各ＬＥＤ４４，４５を発光させると、突出位置へ上昇した左右の可動体４６，４７のいずれにおいても、それぞれの光透過部である「Ｓｈｏｗ」と「Ｔｉｍｅ」の意匠文字全体を明るく照らした上で、これら意匠文字の中心部をさらに強い光で照光することができる。
【００３７】
このように、モータ３８の回転方向と回転量を制御することにより、左右の可動体４６，４７を単独または連続的に動作させたり、両者を同時に動作させることが可能となる。例えば、各可動体４６，４７が原点位置にあるときに、モータ３８を正転方向に９０度回転してから逆転正転方向に９０度戻すという動作を繰り返すと、右側の可動体４７を原点位置に停止させたまま、左側の可動体４６だけを原点位置と突出位置との間で小刻みに上下動させることができる。あるいは、各可動体４６，４７が原点位置にあるときに、モータ３８を正転方向に１８０度回転してから逆転正転方向に１８０度戻すという動作を繰り返すことにより、左側の可動体４６と右側の可動体４７を交互に上下動させたり、モータ３８を逆転方向に回転して左右の可動体４６，４７を同時に上昇させる等、インパクトのある可動演出を行わせることができる。そして、これら可動体４６，４７の動作中に回路基板４２，４３に電力を供給して各ＬＥＤ４４，４５（第１のＬＥＤ４４ａ，４５ａと第２のＬＥＤ４４ｂ，４５ｂ）を発光させると、左右の可動体４６，４７が原点位置と突出位置のいずれの位置へ移動した場合でも、遊技者が注目する可動体４６，４７の所望箇所（本実施例の場合は「Ｓｈｏｗ」と「Ｔｉｍｅ」の意匠文字）を強い光でギラギラと照光することができる。
【００３８】
以上説明したように、本実施形態例に係る可動役物装置２６では、ベース部材３７に固定した回路基板４２，４３の前方を可動体４６，４７が原点位置と突出位置との間で移動可能となっており、これら回路基板４２，４３上に可動体４６，４７の移動方向に沿って離間する位置に第１のＬＥＤ４４ａ，４５ａと第２のＬＥＤ４４ｂ，４５ｂが実装されているため、第１および第２のＬＥＤ４４ａ，４５ａ，４４ｂ，４５ｂに電力を供給するワイヤーハーネス等の配線を可動体４６，４７と回路基板４２，４３に引き回す必要がなくなり、可動体４６，４７の移動に伴う配線の断線事故を未然に防止することができる。そして、可動体４６，４７が原点位置にあるときに第１のＬＥＤ４４ａ，４５ａを導光体４８のレンズ部４８ｂに対向させると共に、可動体４６，４７が突出位置にあるときに第２のＬＥＤ４４ｂ，４５ｂを導光体４８のレンズ部４８ｂに対向させるようにしたので、可動体４６，４７が原点位置と突出位置のいずれの位置へ移動した場合でも、可動体４６，４７の所望箇所を第１のＬＥＤ４４ａ，４５ａまたは第２のＬＥＤ４４ｂ，４５ｂの光によって明確に照光することができる。
【００３９】
また、本実施形態例に係る可動役物装置２６では、光透過性の樹脂成形品である導光体４８に、背面を半球状で前面を円錐状にしたレンズ部４８ｂと、レンズ部４８ｂを中心に同心円状に配列された凹凸部４８ｃとを形成し、このような導光体４８を可動体４６，４７の内部に取り付けているため、第１のＬＥＤ４４ａ，４５ａまたは第２のＬＥＤ４４ｂ，４５ｂが原点位置や突出位置で導光体４８を透過するとき、レンズ部４８ｂで最も強い光となって可動体４６，４７の前方に出射すると共に、レンズ部４８ｂの周囲の凹凸部４８ｃで散乱光となって可動体４６，４７の前方に出射するため、可動体４６，４７の光透過部である「Ｓｈｏｗ」と「Ｔｉｍｅ」の意匠文字全体を明るく照らした上で、これら意匠文字の中心部をさらに強い光で照光するという発光態様を実現することができる。
【００４０】
なお、上記実施形態例では、上下方向に配列された一対の光源（ＬＥＤ）を一組として二組計４つの光源を１つの回路基板上に実装し、可動体が原点位置または突出位置にあるときに、これら光源を導光体の２つのレンズ部に対向させるようにしているが、回路基板上に実装される光源の組数は導光体に形成されるレンズ部の数に応じて増減すれば良く、例えば、導光体に１つのレンズ部が形成されている場合は、この導光体に対応する回路基板上に第１の光源と第２の光源の対を一組だけ実装すれば良い。
【００４１】
また、上記実施形態例では、左右一対の可動体をそれぞれ原点位置と突出位置との間で往復移動させる場合について説明したが、１つまたは３つ以上の可動体を原点位置と突出位置との間で往復移動させるようにしても良い。また、可動役物装置２６の配設場所は表示画面の下部側方に限定されず、表示画面２７ａの上方位置や下方位置等に配置することも可能である。さらに、可動体を往復移動する駆動機構は上記実施形態例に限定されず、他の構成の駆動機構を用いて可動体を往復移動するようにしても良い。
【００４２】
また、上記実施形態例では、本発明による可動役物装置をパチンコ機に適用した場合について説明したが、スロットマシン等の他の遊技機に適用することも可能である。
【符号の説明】
【００４３】
６  遊技盤
２３  遊技領域
２４  センター役物
２５  装飾枠
２６  可動役物装置
２７  可変表示装置
２７ａ  表示画面
３７  ベース部材
３８  モータ
３９  中継ギア
４０，４１  回転板
４０ａ，４１ａ  ギア部
４０ｂ，４１ｂ  カム状突起
４２，４３  回路基板
４４，４５  ＬＥＤ（光源）
４４ａ，４５ａ  第１のＬＥＤ（第１の光源）
４４ｂ，４５ｂ  第２のＬＥＤ（第２の光源）
４６，４７  可動体
４８  導光体
４８ａ  支持突起
４８ｂ  レンズ部
４８ｃ  凹凸部
４９  ガイドシャフト
５０  連結体
５０ａ  ガイド孔
５１  駆動ピン
【図１】
2014054455.tif 000003
【図２】
2014054455.tif 000004
【図３】
2014054455.tif 000005
【図４】
2014054455.tif 000006
【図５】
2014054455.tif 000007
【図６】
2014054455.tif 000008
【図７】
2014054455.tif 000009
【図８】
2014054455.tif 000010
【図９】
2014054455.tif 000011
【図１０】
2014054455.tif 000012
【図１１】
2014054455.tif 000013
【図１２】
2014054455.tif 000014
【図１３】
2014054455.tif 000015
【図１４】
2014054455.tif 000016
【図１５】
2014054455.tif 000017
【図１６】
2014054455.tif 000018
【図１７】
2014054455.tif 000019
【図１８】
2014054455.tif 000020